(57)【特許請求の範囲】
【請求項１】
枠材を方形枠組みした枠体と、この枠体の見込み方向一側に取付けた装飾体と、前記枠体の見込み方向他側に取付けたガラスを備え、
前記枠材は、その見付け方向内面における見込み方向中間部に見付け方向の内方に突出した装飾体取付片を有し、この装飾体取付片の突出端部にビード取付用片が見込み方向他側に向けて設けられた形状で、
前記装飾体取付片の見付け方向中間部のビス挿通孔からビスが装飾体に螺合して装飾体取付片の見込み方向一側面に装飾体が取付けられ、
前記ビード取付用片は断面略逆Ｔ字状で、
ビードは取付用蟻溝を有し、その取付用蟻溝にビード取付用片が嵌まり込むようにビードが見込み方向から装着され、このビードが前記ビスの頭部に接すると共に、そのビードにガラスの見込み方向一面が接するように取付けてあることを特徴とする建具。
【請求項２】
枠材を方形枠組みした枠体と、この枠体の見込み方向一側に取付けた装飾体と、前記枠体の見込み方向他側に取付けたガラスを備え、
前記枠材は、その見付け方向内面における見込み方向中間部に見付け方向の内方に突出した装飾体取付片を有し、この装飾体取付片の突出端部にビード取付用片が見込み方向他側に向けて設けられた形状で、
前記ビード取付用片にビードが見込み方向から装着され、このビードにガラスの見込み方向一面が接するように取付けられ、
前記装飾体に取付用ねじを見付け方向に向けて螺合し、この取付用ねじを、前記枠材の見付け方向内面に押しつけて装飾体を取付けたことを特徴とする建具。
【発明の詳細な説明】
【０００１】
【発明の属する技術分野】
本発明は、玄関ドアなどの枠体に装飾体とガラスを取付けた建具に関する。
【０００２】
【従来の技術】
枠体に格子とガラスを取付けた玄関ドアが種々提案されている。
例えば、図４に示すように、枠体を形成する枠材１を、見付け方向の内面１ａにおける見込み方向中間部に見付け方向の内方に向けて突出した格子取付片２を備えていると共に、その格子取付片２の突出端部に見込み方向他側に開口した蟻溝３を有する形状とする。
前記格子取付片２の突出方向中間部のビス挿通孔４からビス５を格子６に螺合して格子６を格子取付片２の見込み方向一側面２ａに連結する。
前記蟻溝３にビード７を装着し、このビード７にガラス８の一面を押しつけると共に、前記枠材１に押縁９を取付け、この押縁９とガラス８の他面との間にビード９ａを設けて枠体に格子６とガラス８を取付ける。
図４において、枠材１は本体１ｂとアタッチメント１ｃを備え、そのアタッチメント１ｃに格子取付片２が設けてあるが、本体１ｂとアタッチメント１ｃが一体となった枠材も知られている。
【０００３】
【発明が解決しようとする課題】
前述の格子取付片２における蟻溝３とビス挿通孔４は、ビス５の頭部が蟻溝３と干渉しないように突出方向（見付け方向）に離隔していると共に、その蟻溝３の見付け寸法はビード７の取付け強度の面からある程度の長さとなる。
このために、格子取付片２の見付け寸法（内面１ａからの突出寸法）ａが長く、その分だけ枠体の採光面積が小さい。なお、枠体を大きくすれば採光面積を大きくできるが、このようにすると玄関ドア全体が大きく、材料の使用量が多くなって高価格である。
【０００４】
また、蟻溝３にビード７を装着するには、その枠材１の長手方向端部（木口）からビード７を蟻溝３にスライドして装着するので、そのビード７は枠体を枠組み以前に各枠材１にそれぞれ装着することになり、枠体を枠組みした後にビード７を装着できない。
このために、枠材１にビード７を装着し忘れて枠体を枠組みし、格子６の取付け時にビート７の装着し忘れに気がついた場合には、枠体を分解してビード７を装着し、再度枠体を枠組みするので、その作業が大変面倒である。
【０００５】
本発明は、前述の課題に鑑みなされたものであり、その目的は、装飾体取付片の見付け寸法が小さく採光面積が大きいと共に、材料の使用量が低減してコスト安で、枠体を枠組み後にビードを装着できるようにした建具を提供することである。
【０００６】
【課題を解決するための手段】
第１の発明は、枠材を方形枠組みした枠体と、この枠体の見込み方向一側に取付けた装飾体と、前記枠体の見込み方向他側に取付けたガラスを備え、
前記枠材は、その見付け方向内面における見込み方向中間部に見付け方向の内方に突出した装飾体取付片を有し、この装飾体取付片の突出端部にビード取付用片が見込み方向他側に向けて設けられた形状で、
前記装飾体取付片の見付け方向中間部のビス挿通孔からビスが装飾体に螺合して装飾体取付片の見込み方向一側面に装飾体が取付けられ、
前記ビード取付用片は断面略逆Ｔ字状で、
ビードは取付用蟻溝を有し、その取付用蟻溝にビード取付用片が嵌まり込むようにビードが見込み方向から装着され、このビードが前記ビスの頭部に接すると共に、そのビードにガラスの見込み方向一面が接するように取付けてあることを特徴とする建具である。
【０００７】
第２の発明は、枠材を方形枠組みした枠体と、この枠体の見込み方向一側に取付けた装飾体と、前記枠体の見込み方向他側に取付けたガラスを備え、
前記枠材は、その見付け方向内面における見込み方向中間部に見付け方向の内方に突出した装飾体取付片を有し、この装飾体取付片の突出端部にビード取付用片が見込み方向他側に向けて設けられた形状で、
前記ビード取付用片にビードが見込み方向から装着され、このビードにガラスの見込み方向一面が接するように取付けられ、
前記装飾体に取付用ねじを見付け方向に向けて螺合し、この取付用ねじを、前記枠材の見付け方向内面に押しつけて装飾体を取付けたことを特徴とする建具である。
【０００８】
【作用】
第１の発明によれば、枠体を枠組みした後にビードを装着できるし、装飾体をビスで固定した後にビードを装着してビスの頭部に接することができるので、ビス挿通孔とビード取付用片との見付け方向の間隔はビードの見付け寸法に関係なく、ビスがビード取付用片に干渉しない程度に小さい。
よって、装飾体取付片の見付け寸法が短かく、採光面積が広いと共に、材料使用量が低減しコスト安の建具である。
また、枠体を枠組み後にビードを装着できるので、ビードを装着し忘れて枠体を枠組みした場合に、その枠体を分解せずにビードを装着でき、その作業が容易である。
また、ビード取付用片は断面略逆Ｔ字状で、ビードの取付用蟻溝に嵌まり込むように装着されるので、ビードが外れにくい。
【０００９】
第２の発明によれば、枠体を枠組みした後にビードを装着できるし、装飾体を、当該装飾体に見付け方向に螺合した取付用ねじを枠体の見付け方向内面に押しつけて取付けるので、装飾体取付片の見付け寸法が短かく、採光面積が広いと共に、材料使用量が低減しコスト安の建具である。
また、枠体を枠組み後にビードを装着できるので、ビードを装着し忘れて枠体を枠組みした場合に、その枠体を分解せずにビードを装着でき、その作業が容易である。
【００１０】
【発明の実施の形態】
図１に示すように、枠材１０を方形状に枠組みした枠体１１と、この枠体１１の見込み方向一側に取付けた装飾体、例えば格子１２と、前記枠体１１の見込み方向他側に取付けたガラス１３で建具、例えば玄関ドアを形成している。
前記格子１２は格子枠１４に縦格子１５と横格子１６を取付けた装飾格子である。
前記装飾体は、装飾パネル、鋳物パネルなどであっても良い。
【００１１】
前記枠材１０は図２に示すように、見付け方向内面１０ａにおける見込み方向中間部に見付け方向の内方に突出した装飾体取付片２０を備えている。
この実施の形態では、枠材本体１０ｂとアタッチメント１０ｃで枠材１０を形成し、そのアタッチメント１０ｃに装飾体取付片２０を備えている。なお、枠材１０は枠材本体１０ｂとアタッチメント１０ｃが一体となったような形状でも良い。
前記装飾体取付片２０の突出端部にビード取付用片２１が一体的に設けてあると共に、見付け方向中間部にビス挿通孔２２が形成してある。
【００１２】
前記格子１２、例えば格子枠１４が装飾体取付片２０の見込み方向一側面２０ａに接し、見込み方向他側からビス２３をビス挿通孔２２を挿通して格子枠１４に螺合することで格子１２が枠体１０の見込み方向一側に取付けられる。前記ビス２３の頭部は装飾体取付片２０の見込み方向他側面２０ｂよりも突出しないようにしてある。なお、突出しても良い。
【００１３】
前記ビード取付用片２１は装飾体取付片２０の見込み方向他側面２０ｂよりも見込み方向他側に向けて突出している。この実施の形態ではビード取付用片２１は、装飾体取付片２０と連続した見込み方向に向う基片２１ａと、この基片２１ａの突出端部に一体的に設けた見付け方向に向う横片２１ｂで断面略逆Ｔ字形状である。なお、ビード取付片２１は基片２１ａのみとしても良い。
【００１４】
前記ビード取付用片２１にビード２４が装着され、このビード２４にガラス１３の見込み方向一面が当接すると共に、そのガラス１３の見込み方向他面と押縁２５との間に後付けビード２６が設けてあり、これによって、ガラス１３が枠体１０の見込み方向他側に取付けられる。
前記押縁２５は枠材１０の見込み方向内面１０ａにおける見込み方向他側寄りの係止片２７に係止して取付けてある。
【００１５】
前記ビード２４は見込み方向一側面に開口した取付用溝、この実施の形態では取付用蟻溝２８を有し、その取付用蟻溝２８をビード取付用片２１（横片２１ｂ）に見込み方向から嵌め込むことで取付けできる。
よって、ビード２４は枠体１１の見込み方向他側から装着でき、枠体１１を枠組みした後に装着することが可能である。
また、取付用蟻溝２８を横片２１ｂに嵌め込んであるから、ビード２４が外れにくい。
【００１６】
このようであるから、ビス２３を螺合して格子１２を取付けた後にビード２４を装着することができ、ビス２３を螺合する際にビード２４が邪魔になることがない。
しかも、ビード２４をビス２３の頭部に接するようにして装着することもできる。
したがって、前記ビス挿通孔２２とビード取付用片２１との見付け方向間隔は、ビード２４の見付け寸法には関係なく、ビス２３がビード取付片２１（この実施の形態では横片２１ｂ）と干渉しない程度に狭く、装飾体取付片２０の見付け寸法ａが短かい。
【００１７】
図３に示すように、格子１２を、その格子枠１４に見付け方向に向けて取付用ねじ３０を螺合し、この取付用ねじ３０を枠材１０の見付け方向内面１０ａに押しつけて格子１２を取付けることもできる。
このようにすれば、枠体１１の見込み方向一側から取付用ねじ３０を弛めることで格子１２を取外しでき、ガラス１３を外すことなく格子１２のみを取外して格子１２及びガラス１３の見込み方向一面を清掃できる。
【００１８】
また、図２、図３に示すように同一の枠材１０、格子１２を用いて格子１２をビス固定と、取付用ねじ３０による取付けに使い分けることが可能である。
よって、取付方法の異なるパターンにも同一形材構成で対応可能な為、形材の在庫数削減が可能である。
具体的には、格子１２をビス２３で固定する場合には図２に示すようにビス挿通孔２２を形成し、格子１２を取付用ねじ３０で取付ける場合には図３に示すように格子枠１４の内側片１４ａに工具挿入孔３１を形成し、格子枠１４の中間片１４ｂに取付用ねじ挿通孔３２を形成すると共に、ナット部材３３を設け、取付用ねじ３０をナット部材３３に螺合して格子枠１４の開口部１４ｃから枠材１０の見込み方向内面１０ａに押しつけて取付ける。
【００１９】
以上の説明では玄関ドアとしたが、これに限ることはなく、枠体に装飾体とガラスを取付けた建具であれば適用できることは勿論である。
【００２０】
【発明の効果】
請求項１に係る発明によれば、枠体を枠組みした後にビードを装着できるし、装飾体をビスで固定した後にビードを装着してビスの頭部に接することができるので、ビス挿通孔とビード取付用片との見付け方向の間隔はビードの見付け寸法に関係なく、ビスがビード取付用片に干渉しない程度に小さい。
よって、装飾体取付片の見付け寸法が短かく、採光面積が広いと共に、材料使用量が低減しコスト安の建具である。
また、枠体を枠組み後にビードを装着できるので、ビードを装着し忘れて枠体を枠組みした場合に、その枠体を分解せずにビードを装着でき、その作業が容易である。
また、ビード取付用片は断面略逆Ｔ字状で、ビードの取付用蟻溝に嵌まり込むように装着されるので、ビードが外れにくい。
【００２１】
請求項２に係る発明によれば、枠体を枠組みした後にビードを装着できるし、装飾体を、当該装飾体に見付け方向に螺合した取付用ねじを枠体の見付け方向内面に押しつけて取付けるので、装飾体取付片の見付け寸法が短かく、採光面積が広いと共に、材料使用量が低減しコスト安の建具である。
また、枠体を枠組み後にビードを装着できるので、ビードを装着し忘れて枠体を枠組みした場合に、その枠体を分解せずにビードを装着でき、その作業が容易である。
【図面の簡単な説明】
【図１】玄関ドアの概略外観図である。
【図２】図１のＡ−Ａ拡大詳細断面図である。
【図３】格子を取付用ねじで取付けた例を示す横断面図である。
【図４】従来の玄関ドアの一例を示す横断面図である。
【符号の説明】
１…枠材、２…格子取付片、３…蟻溝、４…ビス挿通孔、５…ビス、６…格子、７…ビード、８…ガラス、１０…枠材、１０ａ…見付け方向内面、１１…枠体、１２…格子（装飾体）、１３…ガラス、２０…装飾体取付片、２１…ビード取付用片、２２…ビス挿通孔、２３…ビス、２４…ビード、２８…取付用蟻溝。
【図１】
0003797230.tif 000002
【図２】
0003797230.tif 000003
【図３】
0003797230.tif 000004
【図４】
0003797230.tif 000005